(57)【要約】【課題】２枚のシートが剥離可能に貼着されてなるラベルにおいて、プリンタにおける搬送時等に２枚のシートを不用意に剥離しにくくし、かつ、所望時には２枚のシートを剥離しやすくする。【解決手段】感熱紙１０の一方の面に樹脂シート２０が積層されてなる構成において、感熱紙１０と樹脂シート２０とが、その１辺に沿った直線状の領域が弱剥離部２１によって剥離可能に貼着され、それ以外の領域が剥離層４０を介して剥離可能に貼着されており、弱剥離部２１が感熱紙１０と樹脂シート２０とを剥離可能とする剥離力が、剥離層４０が感熱紙１０と樹脂シート２０とを剥離可能とする剥離力よりも大きい。【選択図】図１
2015184497.tif 000002
【特許請求の範囲】
【請求項１】
上シート、中シート及び粘着層がこの順で積層され、前記粘着層によって物品に貼着されるラベルにおいて、
前記中シートは、樹脂フィルムからなり、当該中シートの少なくとも１辺に沿った直線状の領域が弱剥離構造によって前記上シートに剥離可能に貼着され、それ以外の領域が剥離層を介して前記上シートに剥離可能に貼着され、
前記弱剥離構造は、前記上シートと前記中シートとを剥離可能とする剥離力が、前記剥離層が前記上シートと前記中シートとを剥離可能とする剥離力よりも大きいことを特徴とするラベル。
【請求項２】
請求項１に記載のラベルにおいて、
前記上シートが感熱紙であるラベル。
【請求項３】
請求項１または請求項２に記載のラベルにおいて、
前記中シートは、前記上シートとの積層面とは反対側の面に、前記粘着層によって下シートが剥離可能に貼着されているラベル。
【請求項４】
請求項１乃至３のいずれか１項に記載のラベルにおいて、
前記上シートは、貼付票と受領票とが分離可能に連接して構成され、前記弱剥離構造が、前記貼付票の１辺に沿った領域に配されているラベル。
【請求項５】
請求項４に記載のラベルにおいて、
前記上シートは、前記弱剥離構造が、前記貼付票と前記受領票それぞれの１辺に沿った領域に配されているラベル。
【請求項６】
請求項５に記載のラベルにおいて、
前記上シートは、前記弱剥離構造が、前記貼付票と前記受領票とに渡った１つの直線からなる領域に配されているラベル。
【発明の詳細な説明】
【技術分野】
【０００１】
本発明は、２枚のシートが貼着されてなるラベルに関し、特に、２枚のシートを不用意に剥離しにくくし、かつ、所望時には２枚のシートを剥離しやすくする技術に関する。
【背景技術】
【０００２】
従来より、配送物を配送する場合、配送物の配送元及び配送先の住所や氏名あるいは名称等の配送情報が記入された配送ラベルが用いられ、配送情報が記入された配送ラベルが配送物に貼着され、配送ラベルに記入された配送情報に従って配送物が配送先に配送されている。
【０００３】
このような配送ラベルにおいては、配送物が配送先に配送された後に配送業者が持ち帰る受領票が分離可能に構成されたものが用いられている。この配送ラベルを用いた場合、配送物が配送先に配送されると、受領票に受領印が押下され、受領票が配送ラベルから分離されて配送業者によって持ち帰られることにより、配送物が配送先に配送されたことが管理される。
【０００４】
また、近年においては、上述したような配送ラベルにおいて、配送物が配送先に配送された後でも配送物に貼付されたままの状態とする貼付票についても、貼付票に記入された配送情報の漏洩を回避するために配送物から分離したいとする要望も多く、そのような要望に応える配送ラベルも考えられている。
【０００５】
上述したように受領票や貼付票を配送物から分離できる配送ラベルとしては、例えば、感熱紙の裏面に、ＰＥ（polyethylene）やＰＰ（polypropylene）等からなる樹脂シートを融着によって直接貼着するとともに、この樹脂シートの裏面に粘着層を積層し、この粘着層によって配送物に貼着するものが考えられている。このような配送ラベルは、樹脂シートが融着によって感熱紙に貼着されていることによって感熱紙と樹脂シートとが剥離可能に貼着された状態となっているため、配送物に貼着された後に、配送情報が記入された感熱紙を樹脂シートから剥離することで配送物から分離することができる。
【０００６】
ところが、上記のように感熱紙等のシート基材に樹脂シートを直接貼着したものにおいては、シート基材と樹脂シートとが剥離可能に貼着された状態となっているものの、剥離可能な接着剤等を用いることなく樹脂シートそのものを融着等の手段によってシート基材に直接貼着していることにより、シート基材を配送物から分離しようとする際、シート基材が樹脂シートからきれいに剥離できない場合がある。
【０００７】
そこで、シート基材に樹脂シートが擬似接着された構成において、シート基材と樹脂シートとの間の一端部に剥離層を介在させ、この剥離層が介在している領域に指や爪を引っ掛けることができるようにすることでシート基材と樹脂シートとを剥離しやすくする技術が考えられており、例えば、特許文献１，２に開示されている。
【先行技術文献】
【特許文献】
【０００８】
【特許文献１】実開平０２―１３４５７７号公報
【特許文献２】実開平０２―３３０７７号公報
【発明の概要】
【発明が解決しようとする課題】
【０００９】
しかしながら、特許文献１，２に開示されたような技術においては、シート基材と樹脂シートとの間に介在する剥離層によってシート基材と樹脂シートとの間の一端部に指や爪を引っ掛けることができるものの、その後は、シート基材と樹脂シートとが直接貼着された領域を剥離していくことになるため、シート基材と樹脂シートとを剥離しやすくなったとは言い難く、シート基材と樹脂シートとを剥離しようとした場合に、シート基材や樹脂シートが剥離していく途中で破壊されてしまい、きれいに剥離することができなくなる虞れがある。
【００１０】
そこで、上述したような構成においてシート基材と樹脂シートとの間の全面に剥離層を介在させ、それにより、シート基材と樹脂シートとを剥離しやすくすることが考えられる。
【００１１】
ところで、近年、上述したような配送ラベルに対する配送情報の記入は、プリンタにおける印字によって行われる場合が多い。特に、一般消費者ではなく企業等から発送する配送物においては、配送情報が事前に印字されたものが用いられている。そのため、上述したようにシート基材と樹脂シートとの間の全面に剥離層が介在している場合、配送ラベルがプリンタ内を搬送される際に、シート基材が搬送方向先端部から捲れ上がり、樹脂シートから剥離してしまう虞れがある。
【００１２】
本発明は、上述したような従来の技術が有する問題点に鑑みてなされたものであって、２枚のシートが剥離可能に貼着されてなるラベルにおいて、プリンタにおける搬送時等に２枚のシートを不用意に剥離しにくくし、かつ、所望時には２枚のシートを剥離しやすくすることができるラベルを提供することを目的とする。
【課題を解決するための手段】
【００１３】
上記目的を達成するために本発明は、
上シート、中シート及び粘着層がこの順で積層され、前記粘着層によって物品に貼着される配送ラベルにおいて、
前記中シートは、樹脂フィルムからなり、当該中シートの少なくとも１辺に沿った直線状の領域が弱剥離構造によって前記上シートに剥離可能に貼着され、それ以外の領域が剥離層を介して前記上シートに剥離可能に貼着され、
前記弱剥離構造は、前記上シートと前記中シートとを剥離可能とする剥離力が、前記剥離層が前記上シートと前記中シートとを剥離可能とする剥離力よりも大きいことを特徴とする。
【００１４】
上記のように構成された本発明においては、上シートに情報が印字された後、中シートに積層された粘着層によって物品に貼着されて使用される。その後、上シートに印字された情報の漏洩を回避するために、上シートと中シートとを剥離することにより、上シートのみが物品から分離される。このように使用される場合は、上シートを物品から分離するためには、上シートと中シートとが剥離しやすい構成となっていることが好ましく、そのために、上シートと中シートとは、一部の領域を除いて剥離層を介して剥離可能に貼着されており、上シートと中シートとを剥離しようとした場合に、上シートと中シートとが剥離層を介して貼着された領域から上シートと中シートとを剥離することできれいに剥離することができる。また、上シートに情報が印字される際、配送ラベルがプリンタ内を搬送されることになるが、中シートが樹脂フィルムからなり、中シートの少なくとも１辺に沿った直線状の領域が弱剥離構造によって上シートに剥離可能に貼着されており、弱剥離構造の上シートと中シートとを剥離可能とする剥離力が、剥離層が上シートと中シートとを剥離可能とする剥離力よりも大きいので、この１辺が搬送方向先端部であれば、プリンタ内にて湾曲して搬送されたり、２つのローラ間に挟まれながら搬送されたりしても、上シートが搬送方向先端部から捲れ上がらず中シートから剥離しにくくなる。また、このように上シートと中シートとがその一部にて剥離しにくい構成となっていることにより、物品の配送途中等において物品からラベルが脱落しにくくなる。
【００１５】
また、上シートが感熱紙であれば、上シート自体で弱剥離構造を構成することができる。
【００１６】
また、中シートの上シートとの積層面とは反対側の面に、粘着層によって下シートが剥離可能に貼着されているものにおいては、中シートから下シートが剥離され、表出した粘着層によって物品に貼着されて使用されることになる。
【００１７】
また、上シートが、貼付票と受領票とが分離可能に連接して構成されたラベルにおいて、弱剥離構造が、貼付票の１辺に沿った領域に配されていれば、貼付票がその一部にて中シートから剥離しにくく貼着され、かつ、受領票が中シートから剥離しやすく貼着されたものとなり、それにより、配送物の配送途中において配送物からラベルが脱落しにくくしながらも、配送物の配送先にて受領票を配送物から分離しやすくすることができる。
【００１８】
また、弱剥離構造が、貼付票と受領票とのそれぞれの１辺に沿った領域に配されているものにおいては、その１辺側が搬送方向先端部であれば、プリンタ内にて湾曲して搬送されたり、２つのローラ間に挟まれながら搬送されたりしても、貼付票と受領票とのそれぞれが搬送方向先端部から捲れ上がらず中シートから剥離しにくくなるとともに、貼付票と受領票とのそれぞれを配送物の配送途中において配送物から脱落しにくくすることができる。
【００１９】
また、弱剥離構造が、貼付票と受領票とに渡った１つの直線からなる領域に配されているものにおいても、この直線側が搬送方向先端部であれば、上記同様の作用が生じる。
【発明の効果】
【００２０】
本発明は、剥離可能に貼着された上シートと中シートとのうち中シートが、樹脂フィルムからなり、中シートの少なくとも１辺に沿った直線状の領域が弱剥離構造によって上シートに剥離可能に貼着され、それ以外の領域が剥離層を介して上シートに剥離可能に貼着されており、弱剥離構造の上シートと中シートとを剥離可能となる剥離力が、剥離層が上シートと中シートとを剥離可能とする剥離力よりも大きいため、物品の配送途中等において物品からラベルが脱落しにくくなり、また、この１辺が搬送方向先端部であれば、プリンタ等における搬送時に上シートと中シートとを不用意に剥離しにくくし、かつ、所望時には上シートと中シートとを剥離しやすくすることができる。
【００２１】
また、上シートが感熱紙であれば、上シート自体で弱剥離構造を構成することができる。
【００２２】
また、中シートの上シートとの積層面とは反対側の面に、粘着層によって下シートが剥離可能に貼着されているものにおいては、ロール状に巻き取らずに粘着層が乾燥することなく保管することができる。
【００２３】
また、上シートが、貼付票と受領票とが分離可能に連接して構成されたラベルにおいて、弱剥離構造が、貼付票の１辺に沿った領域に配されているものにおいては、配送物の配送途中において配送物からラベルが脱落しにくくしながらも、配送物の配送先にて受領票を配送物から分離しやすくすることができる。
【００２４】
また、弱剥離構造が、貼付票と受領票とのそれぞれの１辺に沿った領域に配されているものにおいては、その１辺側が搬送方向先端部であれば、搬送時にて貼付票と受領票とのそれぞれが搬送方向先端部から捲れ上がらず中シートから剥離しにくくなるとともに、貼付票と受領票とのそれぞれを配送物の配送途中において配送物から脱落しにくくすることができる。
【００２５】
また、弱剥離構造が、貼付票と受領票とに渡った１つの直線からなる領域に配されているものにおいても、この直線側が搬送方向先端部であれば、上記同様の効果を奏する。
【図面の簡単な説明】
【００２６】
【図１】本発明のラベルの第１の実施の形態を示す図であり、（ａ）は表面図、（ｂ）は（ａ）に示したＡ−Ａ’断面図、（ｃ）は（ａ）に示した感熱紙の裏面の構成を示す図である。
【図２】図１に示した配送ラベルの製造工程を示す図である。
【図３】図１に示した配送ラベルが製造されていく様子を示す配送ラベルの断面図である。
【図４】図１に示した配送ラベルの作用を説明するための配送ラベルの断面図であり、（ａ）は感熱紙が外側となるように配送ラベルが湾曲して搬送される際の状態を示す図、（ｂ）は配送ラベルが２つのローラ間に挟まれながら搬送される際の状態を示す図である。
【図５】図１に示した配送ラベルの使用方法を説明するための図である。
【図６】本発明のラベルの第２の実施の形態を示す図であり、（ａ）は表面図、（ｂ）は（ａ）に示したＡ−Ａ’断面図、（ｃ）は（ａ）に示した感熱紙の裏面の構成を示す図である。
【図７】図６に示した配送ラベルの使用方法を説明するための図である。
【図８】本発明のラベルの第３の実施の形態を示す図であり、（ａ）は表面図、（ｂ）は（ａ）に示したＡ−Ａ’断面図、（ｃ）は（ａ）に示した感熱紙の裏面の構成を示す図である。
【図９】本発明のラベルの第４の実施の形態を示す図であり、（ａ）は表面図、（ｂ）は（ａ）に示したＡ−Ａ’断面図、（ｃ）は（ａ）に示した感熱紙の裏面の構成を示す図、（ｄ）は（ａ）に示したＢ−Ｂ’断面図、（ｅ）は（ａ）に示したＣ−Ｃ’断面図である。
【図１０】本発明のラベルの第５の実施の形態を示す図であり、（ａ）は表面図、（ｂ）は（ａ）に示したＡ−Ａ’断面図、（ｃ）は（ａ）に示した上質紙の裏面の構成を示す図である。
【図１１】本発明のラベルの第６の実施の形態を示す図であり、（ａ）は表面図、（ｂ）は（ａ）に示したＡ−Ａ’断面図、（ｃ）は（ａ）に示した上質紙の裏面の構成を示す図である。
【発明を実施するための形態】
【００２７】
以下に、本発明の実施の形態について図面を参照して説明する。
【００２８】
（第１の実施の形態）
図１は、本発明のラベルの第１の実施の形態を示す図であり、（ａ）は表面図、（ｂ）は（ａ）に示したＡ−Ａ’断面図、（ｃ）は（ａ）に示した感熱紙１０の裏面の構成を示す図である。
【００２９】
本形態は図１に示すように、上シートである感熱紙１０と、中シートである樹脂シート２０と、粘着層５０と、下シートである剥離紙３０とが、この順で積層された配送ラベル１である。
【００３０】
感熱紙１０は、その裏面に、基材の寸法安定性を良化するサイズ剤として、水溶性バインダーや耐水性剤を含むバックコート層を有しており、それにより、裏面が剥離機能を有している。なお、水溶性バインダーとしては、ＰＶＡ（Polyvinyl Alcohol）が最も好ましい。また、耐水性剤としては、メラミン系樹脂やポリアミドポリ尿素樹脂が好ましいが、特殊ＳＢＲ（スチレンブタジエン系ラテックス）でも、原紙の寸法安定性を良化するものであれば、何れの耐水化剤を用いてもよい。また、このようなサイズ剤を感熱紙１０の基材内に入れることも考えられ、その場合においても、基材内に入れられたサイズ剤によって、感熱紙１０の表裏面に剥離機能を有する構成となる。感熱紙１０の表面には、この配送ラベル１が貼着される配送物の配送元及び配送先の住所や氏名あるいは名称等の配送情報が印字される配送情報表示領域１１が設けられている。さらに裏面には、感熱紙１０の１辺に沿った直線状の領域を除いた全面に剥離剤が塗布されることによって剥離層４０が積層されている。なお、この直線状の領域は、その幅が２ｍｍ〜１ｃｍ程度であって、より好ましくは５ｍｍ程度である。また、剥離層４０を構成する剥離剤としては、周知のシリコーン系のものが好ましい。
【００３１】
樹脂シート２０は、感熱紙１０の剥離層４０が積層された面の全面に、剥離層４０を覆うようにＰＥやＰＰ等の樹脂が塗布されることによってフィルム状となって積層形成されている。これにより、樹脂シート２０は、感熱紙１０と同一の形状を有し、樹脂シート２０の１辺に沿った直線状の領域が、塗布によって感熱紙１０に直接貼着され、それ以外の領域が、剥離層４０を介して感熱紙１０に剥離可能に貼着されている。
【００３２】
ここで、感熱紙１０と樹脂シート２０とが直接貼着されている領域は、感熱紙１０が上述したように裏面に剥離機能を有することにより、この剥離機能によって弱剥離構造となる弱剥離部２１を構成し、感熱紙１０と樹脂シート２０とが剥離層４０を介さずに剥離可能となっている。ただし、感熱紙１０の裏面の剥離機能による剥離力は、剥離層４０による剥離力と比較するとかなり小さなものとなっており、それにより、弱剥離部２１においては、感熱紙１０と樹脂シート２０とが剥離するものの、剥離層４０にて感熱紙１０と樹脂シート２０とを剥離するための剥離力よりも大きな剥離力でないと感熱紙１０と樹脂シート２０とが剥離しないものとなっている。
【００３３】
粘着層５０は、樹脂シート２０の感熱紙１０とは反対側の面の全面に、粘着剤が塗布されることによって積層されている。
【００３４】
剥離紙３０は、感熱紙１０及び樹脂シート２０よりも一回り大きな形状を有しており、樹脂シート２０の感熱紙１０とは反対側の面に粘着層５０によって剥離可能に貼着されている。なお、剥離紙３０は、剥離台紙上に剥離剤が塗布されて構成され、剥離剤が塗布された面が粘着層５０に対向するように樹脂シート２０に貼着されているが、その詳細な構成の図示は省略する。
【００３５】
以下に、上記のように構成された配送ラベル１の製造方法について説明する。
【００３６】
図２は、図１に示した配送ラベル１の製造工程を示す図であり、図３は、図１に示した配送ラベル１が製造されていく様子を示す配送ラベル１の断面図である。
【００３７】
図２に示すように、図１に示した配送ラベル１はまず、ウェブ状となった感熱紙１０が感熱紙ロール６１から引き出され、印刷部７５において、配送情報表示領域１１を構成する枠等のプレ印刷が施される。
【００３８】
次に、剥離剤塗布部７１において、一方の面に剥離剤が塗布されることによって剥離層４０が積層される（図３（ａ））。この際、ウェブ状の感熱紙１０が後に配送ラベル毎に単片状に断裁された際に、単片状の感熱紙１０の１辺に沿った直線状の領域には塗布されないように剥離剤が塗布されることになる。
【００３９】
次に、樹脂塗布部７２において、感熱紙１０の剥離層４０が積層された面の全面に、剥離層４０を覆うようにＰＥやＰＰ等の樹脂が塗布されることにより、樹脂シート２０が積層される（図３（ｂ））。
【００４０】
このようにして剥離層４０及び樹脂シート２０が積層されたウェブ状の感熱紙１０は、一対のローラ６０ｂ，６０ｃが対向する領域にローラ６０ａを介して搬送されていく。
【００４１】
一方、ウェブ状となった剥離紙３０は剥離紙ロール６２から引き出され、粘着剤塗布部７３において、後に感熱紙１０に貼着される面の全面に、粘着剤が塗布されることにより、粘着層５０が積層される（図３（ｃ））。
【００４２】
このようにして粘着層５０が積層されたウェブ状の剥離紙３０も、一対のローラ６０ｂ，６０ｃが対向する領域に搬送されていく。
【００４３】
そして、一対のローラ６０ｂ，６０ｃが対向する領域において、樹脂シート２０が積層されたウェブ状の感熱紙１０と、粘着層５０が積層されたウェブ状の剥離紙３０とが、粘着層５０によって貼着され、それにより、粘着層５０の樹脂シート２０とは反対側の面に剥離紙３０が積層された状態となる（図３（ｄ））。
【００４４】
その後、刃型加工部７４において、感熱紙１０、樹脂シート２０及び粘着層５０に対して、これらが単片状となるようにスリットが入れられる。そして、ウェブ状の感熱紙１０、樹脂シート２０及び粘着層５０のうち、スリットの外側、すなわち、図１に示した配送ラベル１として不要となる不要部６５が剥離紙３０から剥離され、ローラ６０ｄを介して搬送されていき不要部ロール６４として巻き取られる。
【００４５】
剥離紙３０から不要部６５が剥離されることにより、剥離紙３０には、ウェブ状の感熱紙１０、樹脂シート２０及び粘着層５０のうち、スリットの内側、すなわち、図１に示した配送ラベル１となる部分のみが単片状となって貼着された状態となり（図３（ｅ））、これら単片状の感熱紙１０、樹脂シート２０及び粘着層５０、並びにこれらに貼着されたウェブ状の剥離紙３０が配送ラベルロール６３として巻き取られて保管されることになる。また、単片状の感熱紙１０、樹脂シート２０及び粘着層５０、並びにこれらに貼着されたウェブ状の剥離紙３０を、配送ラベルロール６３として巻き取って保管するのではなく、単片状の配送ラベル１毎に剥離紙３０を折り畳んで保管してもよい。
【００４６】
このようにして、ウェブ状の剥離紙３０に、単片状の感熱紙１０、樹脂シート２０及び粘着層５０が貼着された状態となり、その後、配送ラベル１の使用時にウェブ状の剥離紙３０が単片状に断裁されることになる。なお、上述したように剥離紙３０がウェブ状となった状態で配送ラベル１を保管しておくのではなく、剥離紙３０を単片状に断裁した状態で配送ラベル１を保管しておくことも考えられる。また、上述したように配送ラベルロール６３として巻き取って保管する場合は、単片状の配送ラベル１がミシン線等によって切り離し可能に連接した構成とすれば、剥離紙３０を貼着しておくことなく保管することができる。配送ラベルロール６３として巻き取らずに保管する場合は、上述したように剥離紙３０が貼着されていることにより、粘着層５０が乾燥することなく保管することができる。また、配送情報表示領域１１を構成する枠等のプレ印刷については、樹脂シート２０が積層されたウェブ状の感熱紙１０と、粘着層５０が積層されたウェブ状の剥離紙３０とが、ローラ６０ｂ，６０ｃが対向する領域にて粘着層５０によって貼着された後に施すようにしてもよい。
【００４７】
以下に、上述した配送ラベル１の作用について説明する。
【００４８】
図４は、図１に示した配送ラベル１の作用を説明するための配送ラベル１の断面図であり、（ａ）は感熱紙１０が外側となるように配送ラベル１が湾曲して搬送される際の状態を示す図、（ｂ）は配送ラベル１が２つのローラ間に挟まれながら搬送される際の状態を示す図である。
【００４９】
図１に示した配ラベル１においては、感熱紙１０の表面に設けられた配送情報表示領域１１に、この配送ラベル１が貼着される配送物の配送情報を印字する必要がある。
【００５０】
図１に示した配送ラベル１は、図１中Ｂ方向を搬送方向先端部としてプリンタ内を搬送されながら、感熱紙１０の表面に設けられた配送情報表示領域１４に配送情報が印字される。すなわち、感熱紙１０に剥離層４０が積層されていない弱剥離部２１が沿う辺側が搬送方向先端部としてプリンタ内を搬送されることになる。
【００５１】
ここで、上記のように構成された配送ラベル１は、配送物に貼着されて使用された後、配送情報表示領域１４に印字された配送情報の漏洩を回避するために、感熱紙１０と樹脂シート２０とを剥離することにより、感熱紙１０のみが配送物から分離されることになる。このように感熱紙１０を配送物から分離するためには、感熱紙１０と樹脂シート２０とが剥離しやすい構成となっていることが好ましい。そのため、感熱紙１０と樹脂シート２０とは、弱剥離部２１以外の領域において剥離層４０を介して剥離可能に貼着されており、それにより、感熱紙１０と樹脂シート２０とが剥離層４０を介して貼着された領域からきれいに剥離することができるようになっている。ところで、感熱紙１０と樹脂シート２０とが剥離層４０を介さずに直接貼着された領域は、感熱紙１０の裏面の剥離機能によって弱剥離部２１となっている。そして、弱剥離部２１においては、感熱紙１０と樹脂シート２０とが剥離するものの、剥離層４０にて感熱紙１０と樹脂シート２０とが剥離するための剥離力よりも大きな剥離力でないと感熱紙１０と樹脂シート２０とが剥離しないものとなっている。そのため、配送ラベル１が図２（ａ）に示すように、弱剥離部２１が沿う辺側を搬送方向先端部とし、プリンタ内のローラ８０ａによって感熱紙１０が外側となるように湾曲して搬送されると、ローラ８０ａによって湾曲しても、感熱紙１０が搬送方向先端部から捲れ上がらず樹脂シート２０から剥離しにくくなる。
【００５２】
また、配送ラベル１は図２（ｂ）に示すように、プリンタ内の２つのローラ８０ｂ，８０ｃ間に挟まれながら搬送されることになるが、上述したように、弱剥離部２１が沿う辺側が搬送方向先端部としてプリンタ内を搬送された場合は、弱剥離部２１においては、感熱紙１０と樹脂シート２０とが剥離するものの、剥離層４０にて感熱紙１０と樹脂シート２０とが剥離するための剥離力よりも大きな剥離力でないと感熱紙１０と樹脂シート２０とが剥離しないものとなっていることにより、２つのローラ８０ｂ，８０ｃによって圧力がかかったり、擦れるような外力が加わったりしても、感熱紙１０が搬送方向先端部から捲れ上がらず樹脂シート２０から剥離しにくくなる。
【００５３】
このように、本形態における配送ラベル１においては、樹脂シート２０の１辺に沿う直線状の領域が、剥離層４０を介さずに感熱紙１０に直接貼着されており、感熱紙１０の裏面の剥離機能によって感熱紙１０と樹脂シート２０とが剥離可能に貼着された弱剥離部２１となっているものの、この弱剥離部２１にて感熱紙１０と樹脂シート２０とが剥離可能となる剥離力が、剥離層４０にて感熱紙１０と樹脂シート２０とが剥離可能となる剥離力よりも大きいので、この直線状の領域が沿う辺側が搬送方向先端部となるようにプリンタ内を搬送された場合、プリンタ内において感熱紙１０と樹脂シート２０とが不用意に剥離することを回避できる。
【００５４】
以下に、上述した配送ラベル１の使用方法について説明する。
【００５５】
図５は、図１に示した配送ラベル１の使用方法を説明するための図である。
【００５６】
図５（ａ）に示すように、上記のようにして感熱紙１０の表面に設けられた配送情報表示領域１１に配送情報１４が印字された配送ラベル１は、剥離紙３０が剥離され、表出した粘着層５０によって物品となる配送物２に貼着される。
【００５７】
配送ラベル１が貼付された配送物２は、情報表示領域１１に印字された配送情報１４に従って配送物２の配送先に配送される。この際、感熱紙１０と樹脂シート２０とが剥離層４０を介さずに直接貼着された弱剥離部２１においては、感熱紙１０の裏面の剥離機能によって感熱紙１０と樹脂シート２０とが剥離可能となっているものの、この弱剥離部２１にて感熱紙１０と樹脂シート２０とが剥離可能となる剥離力が、剥離層４０にて感熱紙１０と樹脂シート２０とが剥離可能となる剥離力よりも大きいことにより、配送物の配送途中において配送物２から配送ラベル１が脱落しにくくなる。
【００５８】
そして、配送物２が配送先に配送された後、図５（ｂ）に示すように、感熱紙１０が、樹脂シート２０から剥離されることによって配送物２から分離されていく。この際、感熱紙１０と樹脂シート２０とは、これら感熱紙１０と樹脂シート２０の１辺に沿った直線状の領域においては直接貼着されているものの、それ以外の領域は、感熱紙１０の樹脂シート２０との積層面に積層された剥離層４０を介して剥離可能に貼着されているため、剥離層４０を介して貼着された領域側から剥離していくことにより、感熱紙１０と樹脂シート２０とをきれいに剥離することができる。
【００５９】
そして、感熱紙１０と樹脂シート２０とを剥離した領域が、図５（ｃ）に示すように感熱紙１０と樹脂シート２０とが剥離層４０を介さずに直接貼着された弱剥離部２１に達すると、弱剥離部２１においては、感熱紙１０と樹脂シート２０とが剥離可能となる剥離力が、剥離層４０にて感熱紙１０と樹脂シート２０とが剥離可能となる剥離力よりも大きいことにより、感熱紙１０と樹脂シート２０とが剥離しにくくなる。
【００６０】
ところが、弱剥離部２１においては、感熱紙１０と樹脂シート２０とが剥離可能となる剥離力が、剥離層４０にて感熱紙１０と樹脂シート２０とが剥離可能となる剥離力よりも大きいものの、感熱紙１０の裏面の剥離機能によって感熱紙１０と樹脂シート２０とが剥離可能となっているため、感熱紙１０と樹脂シート２０とが剥離層４０を介さずに直接貼着されていても、図５（ｄ），（ｅ）に示すように、人の力で樹脂シート２０から感熱紙１０を剥離することができる。
【００６１】
このように、本形態における配送ラベル１においては、樹脂シート２０の１辺に沿う直線状の領域以外の領域が、剥離層４０を介して感熱紙１０に貼着されており、さらに、樹脂シート２０の１辺に沿う直線状の領域においても、感熱紙１０と樹脂シート２０とが剥離可能となる剥離力が大きなものの弱剥離部２１によって感熱紙１０に剥離可能に貼着されているので、配送物２から感熱紙１０を分離する際に感熱紙１０を樹脂シート２０からきれいに剥離することができる。
【００６２】
（第２の実施の形態）
図６は、本発明のラベルの第２の実施の形態を示す図であり、（ａ）は表面図、（ｂ）は（ａ）に示したＡ−Ａ’断面図、（ｃ）は（ａ）に示した感熱紙１１０の裏面の構成を示す図である。
【００６３】
本形態は図６に示すように、上シートである感熱紙１１０と、中シートである樹脂シート１２０と、粘着層１５０と、下シートである剥離紙１３０とが、この順で積層された配送ラベル１０１である。
【００６４】
感熱紙１１０は、貼付票１１０ａと受領票１１０ｂとを有し、これら貼付票１１０ａと受領票１１０ｂとの境界にスリット１１３が形成され、貼付票１１０ａと受領票１１０ｂとはこのスリット１１３を介して接している。これにより、貼付票１１０ａと受領票１１０ｂとはスリット１１３によって分離可能に連接している。これら貼付票１１０ａ及び受領票１１０ｂにはそれぞれ、この配送ラベル１０１が貼着される配送物の配送元及び配送先の住所や氏名あるいは名称等の配送情報が印字される配送情報表示領域１１１ａ，１１１ｂが設けられており、受領票１１０ｂにはさらに、配送物が配送先に配送された際に受領印を押下するための押印領域１１２が設けられている。裏面には、貼付票１１０ａのスリット１１３とは反対側の１辺に沿った直線状の領域を除いた全面に剥離剤が塗布されることによって剥離層１４０が積層されている。なお、この直線状の領域は、その幅が２ｍｍ〜１ｃｍ程度であって、より好ましくは５ｍｍ程度である。
【００６５】
樹脂シート１２０は、感熱紙１１０の剥離層１４０が積層された面の全面に、剥離層１４０を覆うようにＰＥやＰＰ等の樹脂が塗布されることによって積層されている。これにより、樹脂シート１２０は、感熱紙１１０と同一の形状を有し、樹脂シート１２０の１辺に沿った直線状の領域が、塗布によって感熱紙１１０に直接貼着され、それ以外の領域が、剥離層１４０を介して感熱紙１１０に剥離可能に貼着されている。
【００６６】
ここで、本形態においても、感熱紙１１０と樹脂シート１２０とが直接貼着されている領域は、感熱紙１１０が裏面に剥離機能を有することにより、この剥離機能によって弱剥離構造となる弱剥離部１２１を構成している。そして、この弱剥離部１２１が貼付票１１０ａのスリット１１３とは反対側の１辺に沿った領域に配され、その領域においては感熱紙１１０と樹脂シート１２０とが剥離層１４０を介さずに剥離可能となっている。ただし、感熱紙１１０の裏面の剥離機能による剥離力は、剥離層１４０による剥離力と比較するとかなり小さなものとなっており、それにより、弱剥離部１２１においては、感熱紙１１０と樹脂シート１２０とが剥離するものの、剥離層１４０にて感熱紙１１０と樹脂シート１２０とを剥離するための剥離力よりも大きな剥離力でないと感熱紙１１０と樹脂シート１２０とが剥離しないものとなっている。
【００６７】
粘着層１５０は、樹脂シート１２０の感熱紙１１０とは反対側の面の全面に、粘着剤が塗布されることによって積層されている。
【００６８】
剥離紙１３０は、感熱紙１１０及び樹脂シート１２０よりも一回り大きな形状を有しており、樹脂シート１２０の感熱紙１１０とは反対側の面に粘着層１５０によって剥離可能に貼着されている。なお、剥離紙１３０は、剥離台紙上に剥離剤が塗布されて構成され、剥離剤が塗布された面が粘着層１５０に対向するように樹脂シート１２０に貼着されているが、その詳細な構成の図示は省略する。
【００６９】
上記のように構成された配送ラベル１０１は、図６中Ｂ方向を搬送方向先端部としてプリンタ内を搬送されながら、貼付票１１０ａ及び受領票１１０ｂにそれぞれ設けられた配送情報表示領域１１４ａ，１１４ｂに配送情報が印字される。すなわち、本形態の配送ラベル１０１においても図１に示したものと同様に、感熱紙１１０に剥離層１４０が積層されていない弱剥離部１２１が沿う辺側が搬送方向先端部としてプリンタ内を搬送されることになる。
【００７０】
それにより、本形態の配送ラベル１０１においても、プリンタ内において感熱紙１１０と樹脂シート１２０とが不用意に剥離しにくくすることができる。
【００７１】
以下に、上述した配送ラベル１０１の使用方法について説明する。
【００７２】
図７は、図６に示した配送ラベル１０１の使用方法を説明するための図である。
【００７３】
図７（ａ）に示すように、貼付票１１０ａ及び受領票１１０ｂにそれぞれ設けられた配送情報表示領域１１１ａ，１１１ｂに配送情報１１４ａ，１１４ｂが印字された配送ラベル１０１は、剥離紙１３０が剥離され、表出した粘着層１５０によって配送物１０２に貼着される。
【００７４】
配送ラベル１０１が貼付された配送物１０２は、情報表示領域１１１ａ，１１１ｂに印字された配送情報１１４ａ，１１４ｂに従って配送物１０２の配送先に配送される。この際、感熱紙１１０と樹脂シート１２０とが、その一部にて剥離層１４０を介さずに直接貼着された弱剥離部１２１においては、感熱紙１１０の裏面の剥離機能によって感熱紙１１０と樹脂シート１２０とが剥離可能となっているものの、この弱剥離部１２１にて感熱紙１１０と樹脂シート１２０とが剥離可能となる剥離力が、剥離層１４０にて感熱紙１１０と樹脂シート１２０とが剥離可能となる剥離力よりも大きいことにより、配送物の配送途中において配送物１０２から配送ラベル１０１が脱落しにくくなる。
【００７５】
そして、配送物１０２が配送先に配送されると、受領票１１０ｂの押印領域１１２に受領印が押下され、その後、図７（ｂ）に示すように、受領票１１０ｂが、樹脂シート１２０から剥離されることによって配送物１０２から分離されていく。この際、感熱紙１１０と樹脂シート１２０とは、一部にて剥離層１４０を介さずに直接貼着されているものの、直接貼着された領域が、貼付票１１０ａのスリット１１３とは反対側の１辺に沿った直線状の領域であり、受領票１１０ｂはその全面にて剥離層１４０を介して樹脂シート１２０と剥離可能に貼着されているため、図７（ｃ）に示すように、受領票１１０ｂを樹脂シート１２０からきれいに剥離することができる。
【００７６】
その後、配送物１０２の配送先において、配送情報表示領域１１１ａに印字された配送情報１１４ａの漏洩を回避するために、図７（ｄ）に示すように、貼付票１１０ａが、樹脂シート１２０から剥離されることによって配送物１０２から分離されていく。この際、貼付票１１０ａと樹脂シート１２０とは、貼付票１１０ａのスリット１１３とは反対側の１辺に沿った直線状の領域にて剥離層１４０を介さずに直接貼着されているものの、それ以外の領域は、剥離層１４０を介して互いに剥離可能に貼着されているため、スリット１１３側から剥離していくことにより、貼付票１１０ａと樹脂シート１２０とをきれいに剥離することができる。
【００７７】
そして、貼付票１１０ａと樹脂シート１２０とを剥離した領域が、図７（ｅ）に示すように貼付票１１０ａと樹脂シート１２０とが剥離層１４０を介さずに直接貼着された弱剥離部１２１に達すると、弱剥離部１２１においては、貼付票１１０ａと樹脂シート１２０とが剥離可能となる剥離力が、剥離層１４０にて感熱紙１１０と樹脂シート１２０とが剥離可能となる剥離力よりも大きいことにより、貼付票１１０ａと樹脂シート１２０とを剥離しにくくなる。
【００７８】
ところが、弱剥離部１２１においては、感熱紙１１０と樹脂シート１２０とが剥離可能となる剥離力が、剥離層１４０にて感熱紙１１０と樹脂シート１２０とが剥離可能となる剥離力よりも大きいものの、感熱紙１１０の裏面の剥離機能によって感熱紙１１０と樹脂シート１２０とが剥離可能となっているため、貼付票１１０ａと樹脂シート１２０とが剥離層１４０を介さずに直接貼着されていても、図７（ｆ）に示すように、人の力で樹脂シート１２０から貼付票１１０ａを剥離することができる。
【００７９】
このように、本形態における配送ラベル１０１においては、受領票１１０ｂがその全面にて剥離層１４０を介して樹脂シート１２０と剥離可能に貼着されているので、押印領域１１２に受領印が押下された受領票１１０ｂを樹脂シート１２０からきれいに剥離することができる。押印領域１１２に受領印が押下された受領票１１０ｂは、配送物の配送業者によって剥離されることになるが、このような構成とすることにより、配送物の配送先にて配送業者が手間取らずに受領票１１０ｂを樹脂シート１２０から剥離することができる。また、貼付票１１０ａについては、貼付票１１０ａのスリット１１３とは反対側の辺に沿う直線状の領域が、剥離層１４０を介さずに樹脂シート１２０に直接貼着され、感熱紙１１０の裏面の剥離機能によって弱剥離部１２１となっており、感熱紙１１０と樹脂シート１２０とが剥離可能となっているものの、弱剥離部１２１ｂにて感熱紙１１０と樹脂シート１２０とが剥離可能となる剥離力が、剥離層１４０にて感熱紙１１０と樹脂シート１２０とが剥離可能となる剥離力よりも大きいので、上述したように、配送情報表示領域１１１ａ，１１１ｂに配送情報１１４ａ，１１４ｂを印字する際にプリンタ内において樹脂シート１２０から不用意に剥離しにくくなる。また、貼付票１１０ａは、配送物が配送先に届けられた後でも特に剥離される必要がないため、貼付票１１０ａの一部を樹脂シート１２０に剥離層１４０を介さずに直接貼着しておくことで、配送物の配送途中において配送ラベルが配送物１０２から脱落しにくくすることができる。さらに、貼付票１１０ａのスリット１１３とは反対側の辺に沿う直線状の領域以外の領域が、剥離層１４０を介して樹脂シート１２０に貼着されていることにより、配送物の配送先において貼付票１１０ａを剥離したい場合、貼付票１１０ａを樹脂シート１２０からきれいに剥離することができる。
【００８０】
（第３の実施の形態）
図８は、本発明のラベルの第３の実施の形態を示す図であり、（ａ）は表面図、（ｂ）は（ａ）に示したＡ−Ａ’断面図、（ｃ）は（ａ）に示した感熱紙２１０の裏面の構成を示す図である。
【００８１】
本形態は図８に示すように、図６に示したものに対して、剥離層２４０が受領票２１０ｂの樹脂シート２２０との貼着面の全面ではなく、スリット２１３に沿った直線状の領域とスリット２１３とは反対側の辺に沿う領域以外の領域のみに積層されているとともに、受領票２１０ｂのスリット２１３とは反対側の辺に沿う領域には、剥離層２４０よりも小さな剥離力で剥離を可能とする強剥離層２４１が積層されており、それにより、樹脂シート２２０が、貼付票２１０ａと受領票２１０ｂとのそれぞれについて、１辺に沿った直線状の領域にて感熱紙２１０に直接貼着されている点で異なるものである。また、貼付票２１０ａと受領票２１０ｂのそれぞれについて、感熱紙２１０と樹脂シート２２０とが剥離層２４０及び強剥離層２４１を介さずに直接貼着されている領域が、弱剥離部２２１ａ，２２１ｂとなり、これら弱剥離部２２１ａ，２２１ｂがそれぞれ、貼付票２１０ａと受領票２１０ｂの１辺に沿った領域に配されている。
【００８２】
上記のように構成された配送ラベル２０１においても、図６に示したものと同様に用いられ、同様の作用が生じるが、上記のような構成を有することにより、受領票２１０ｂについても、配送情報表示領域２１１ｂに配送情報を印字する際にプリンタ内において樹脂シート２２０から不用意に剥離しにくくなるとともに、配送物の配送途中において配送物から脱落しにくくなる。
【００８３】
また、受領票２１０ｂのスリット２１３とは反対側の辺に沿う領域に、剥離層２４０よりも小さな剥離力で剥離を可能とする強剥離層２４１が積層されていることにより、押印領域２１２に受領印が押下された後に受領票２１０ｂをスリット２１３とは反対側の辺から剥離しやすくなる。
【００８４】
なお、本形態の配送ラベル２０１は、受領票２１０ｂのスリット２１３に沿った直線状の領域にて受領票２１０ｂと樹脂シート２２０とが剥離層２４０を介さずに直接貼着されているため、受領票２１０ｂを樹脂シート２２０から剥離する際は、スリット２１３とは反対側の辺側から剥離することになる。
【００８５】
（第４の実施の形態）
図９は、本発明のラベルの第４の実施の形態を示す図であり、（ａ）は表面図、（ｂ）は（ａ）に示したＡ−Ａ’断面図、（ｃ）は（ａ）に示した感熱紙２１０の裏面の構成を示す図、（ｄ）は（ａ）に示したＢ−Ｂ’断面図、（ｅ）は（ａ）に示したＣ−Ｃ’断面図である。
【００８６】
本形態は図９に示すように、図８に示したものに対して、感熱紙３１０の剥離層３４０が積層された領域が、感熱紙３１０の貼付票３１０ａと受領票３１０ｂとの連接方向に延びる１辺に沿った直線状の領域以外の領域となっており、それにより、樹脂シート３２０が、貼付票３１０ａと受領票３１０ｂのそれぞれについて、貼付票３１０ａと受領票３１０ｂとに渡った１つの直線からなる領域にて感熱紙３１０に直接貼着されている点で異なるものである。これにより本形態においては、貼付票３１０ａと受領票３１０ｂのそれぞれについて、感熱紙３１０と樹脂シート３２０とが剥離層３４０及び強剥離層３４１を介さずに直接貼着されて構成された弱剥離部３２１ａ，３２１ｂが、貼付票３１０ａと受領票３１０ｂとに渡った１つの直線からなる領域に配されている。
【００８７】
上記のように構成された配送ラベル３０１においては、プリンタ内にて図９中Ｄ方向に搬送されながら、配送情報表示領域３１１ａ，３１１ｂに配送情報が印字されることになる。そのため、図８に示したものと同様に、貼付票３１０ａと受領票３１０ｂとのそれぞれについて、配送情報表示領域３１１ａ，３１１ｂに配送情報を印字する際にプリンタ内において樹脂シート３２０から不用意に剥離しにくくなるとともに、配送物の配送途中において配送物から脱落しにくくなる。
【００８８】
なお、上述した４つの実施の形態においては、上シートとして感熱紙を例に挙げて説明したが、樹脂シートとの貼着面に剥離構造を設けることにより、上シートとして感熱紙以外のものを用いることができる。ただし、感熱紙を用いた場合は、上シート自体で弱剥離部を構成することができる。
【００８９】
（第５の実施の形態）
図１０は、本発明のラベルの第５の実施の形態を示す図であり、（ａ）は表面図、（ｂ）は（ａ）に示したＡ−Ａ’断面図、（ｃ）は（ａ）に示した上質紙４１０の裏面の構成を示す図である。
【００９０】
本形態は図１０に示すように、図１に示したものに対して、上シートとして上質紙４１０を用いており、この上質紙４１０の樹脂シート４２０との貼着面のうち、上質紙４１０と樹脂シート４２０とが剥離層４４０を介さずに貼着される領域に弱剥離層４４２が積層され、この弱剥離層４４２によって弱剥離構造となる弱剥離部４２１が構成されているとともに、上質紙４１０の弱剥離部４２１とは反対側の辺に沿う領域には剥離層４４０の代わりに、剥離層４４０よりも弱い剥離力で剥離を可能とする強剥離層２４１が積層されている点で異なるものである。なお、弱剥離層４４２は、その厚さや材料によって、感熱紙４１０と樹脂シート４２０とを剥離可能とする剥離力が、剥離層４４０にて感熱紙４１０と樹脂シート４２０とが剥離可能となる剥離力よりも大きなものとなっている。これにより、本形態の配送ラベル４０１は、上質紙４１０と樹脂シート４２０とがその全面にて剥離可能に貼着された構成において、上質紙４１０と樹脂シート４２０との剥離力が図１０中上下方向に３段階に変化する構成となっている。
【００９１】
第１〜第４の実施の形態にて示したものにおいては、上シートとして感熱紙を用いていることにより、感熱紙の裏面の剥離機能によって、感熱紙と樹脂シートとが剥離可能となる弱剥離部が構成されている。ところが、本形態のように上シートとして上質紙４１０を用いた場合は、上質紙４１０には感熱紙のような剥離機能がないため、上質紙４１０の樹脂シート４２０との貼着面のうち、上質紙４１０と樹脂シート４２０とが剥離層４４０を介さずに貼着された領域に弱剥離層４４２を積層し、この弱剥離層４４２によって弱剥離部４２１を構成する必要がある。
【００９２】
上記のように構成された配送ラベル４０１においても、図１に示したものと同様に用いられることになるが、上記のような構成を有することにより、上質紙４１０の配送情報表示領域４１１に配送情報を印字する際に、弱剥離部４２１が沿う辺側が搬送方向先端部となるようにプリンタ内を搬送されることで、上質紙４１０が樹脂シート４２０から不用意に剥離しにくくなるとともに、配送物の配送途中において配送物から脱落しにくくなる。
【００９３】
また、上質紙４１０の弱剥離部４２１とは反対側の辺に沿う領域に、剥離層４４０よりも小さな剥離力で剥離を可能とする強剥離層４４１が積層されていることにより、配送物が配送先に配送された後にて上質紙４１０を樹脂シート４２０から剥離する際、剥離しやすくなる。
【００９４】
（第６の実施の形態）
図１１は、本発明のラベルの第６の実施の形態を示す図であり、（ａ）は表面図、（ｂ）は（ａ）に示したＡ−Ａ’断面図、（ｃ）は（ａ）に示した上質紙５１０の裏面の構成を示す図である。
【００９５】
本形態は図１１に示すように、図１に示したものに対して、上シートとして上質紙５１０を用いており、この上質紙５１０の樹脂シート５２０との貼着面のうち、上質紙５１０と樹脂シート５２０とが剥離層５４０を介さずに貼着される領域に剥離剤５４３がパターン塗布され、それにより、弱剥離構造となる弱剥離部５２１が構成されている点が異なるものである。
【００９６】
上記のように構成された配送ラベル５０１においても、図１に示したものと同様に用いられることになるが、上記のような構成を有することにより、上質紙５１０の配送情報表示領域５１１に配送情報を印字する際に、弱剥離部５２１が沿う辺側が搬送方向先端部となるようにプリンタ内を搬送されることで、上質紙５１０が樹脂シート５２０から不用意に剥離しにくくなるとともに、配送物の配送途中において配送物から脱落しにくくなる。
【００９７】
なお、上述した実施の形態においては、樹脂シートが、感熱紙や上質紙の剥離層が積層された面の全面に、剥離層を覆うようにＰＥやＰＰ等の樹脂が塗布されることによって積層されているが、樹脂シートは、感熱紙や上質紙の剥離層が積層された面の全面に融着によって積層してもよい。
【００９８】
また、弱剥離部が、樹脂シートの１辺に沿った直線状の領域となっているが、樹脂シートの複数の辺のそれぞれに沿った直線状の領域としてもよい。
【符号の説明】
【００９９】
１，１０１，２０１，３０１，４０１，５０１    配送ラベル
２，１０２    配送物
１０，１１０，２１０，３１０    感熱紙
１１，１１１ａ，１１１ｂ，２１１ａ，２１１ｂ，３１１ａ，３１１ｂ，４１１，５１１    配送情報表示領域
１４，１１４ａ，１１４ｂ    配送情報
２０，１２０，２２０，３２０，４２０，５２０    樹脂シート
２１，１２１，２２１ａ，２２１ｂ，３２１ａ，３２１ｂ，４２１，５２１    弱剥離部
３０，１３０，２３０，３３０，４３０，５３０    剥離紙
４０，１４０，２４０，３４０，４４０，５４０    剥離層
５０，１５０，２５０，３５０，４５０，５５０    粘着層
６０ａ〜６０ｄ，８０ａ〜８０ｃ    ローラ
６１    感熱紙ロール
６２    剥離紙ロール
６３    配送ラベルロール
６４    不要部ロール
６５    不要部
７１    剥離剤塗布部
７２    樹脂塗布部
７３    粘着剤塗布部
７４    刃型加工部
７５    印刷部
１１０ａ，２１０ａ，３１０ａ    貼付票
１１０ｂ，２１０ｂ，３１０ｂ    受領票
１１２，２１２，３１２    押印領域
１１３，２１３，３１３    スリット
２４１，４４１    強剥離層
４１０，５１０    上質紙
４４２    弱剥離層
５４３    剥離剤
【図１】
2015184497.tif 000003
【図２】
2015184497.tif 000004
【図３】
2015184497.tif 000005
【図４】
2015184497.tif 000006
【図５】
2015184497.tif 000007
【図６】
2015184497.tif 000008
【図７】
2015184497.tif 000009
【図８】
2015184497.tif 000010
【図９】
2015184497.tif 000011
【図１０】
2015184497.tif 000012
【図１１】
2015184497.tif 000013